(57)【要約】      （修正有）【課題】タイヤ加硫時の上モールドの温度設定と、温度コントロールとを容易にし、タイヤ加硫時間の短縮化を図ることが出来るタイヤ加硫用コンテナー装置を提供する。【解決手段】加熱手段１７は、支持プレート１２上に設置され、この実施形態の加熱手段１７は高周波誘導加熱装置を使用している。高周波誘導加熱装置の加熱手段１７には、配線１８ａ，１８ｂを介して電極１９ａ，１９ｂが取付けられ、この電極１９ａ，１９ｂは、支持プレート１２を貫通して、断熱板２０を介して配設された円盤状の熱盤２１に埋設された誘導加熱コイル２２に接続されている。誘導加熱コイル２２は、熱盤２１の底面に形成された凹部に断熱材を介して配設され、その表面は複数本の押え板２５により固定されている。また、上部サイドプレート２の上面中央は、クランプ装置２６を介して加圧シリンダー１５が着脱可能に連結されている。【選択図】図１
2005271336.tif 000002
【特許請求の範囲】
【請求項１】
ベースプレート上に移動可能に載置された下部サイドプレート上に昇降，かつ着脱可能なブラダー中心機構を設置し、このブラダー中心機構を中心として、その周囲の下部サイドプレート上に下モールドを着脱可能に設置し、この下モールドの周囲に前記ブラダー中心機構に向かって放射方向に拡縮移動する周方向に複数に分割されたセクターモールドを配設し、前記下部サイドプレートと所定の間隔を隔てて水平に配設された上部サイドプレートに加熱手段を備えた昇降可能な支持プレートを配設し、この支持プレートの下面に、昇降可能な上部サイドプレートを介して上モールドを装着し、前記支持プレートの昇降に伴って前記セクターモールドを拡縮移動させるガイド手段を設けたタイヤ加硫装置におけるタイヤ加硫用コンテナー装置であって、
前記上モールドの加熱手段として、高周波誘導加熱装置を用いたことを特徴とするタイヤ加硫用コンテナー装置。
【請求項２】
前記支持プレートと上モールドとの間に、誘導加熱コイルを埋設した熱盤を設けた請求項１に記載のタイヤ加硫用コンテナー装置。
【請求項３】
前記誘導加熱コイルを埋設した熱盤は、前記支持プレートに固定し、前記上モールドは、加熱手段から分離して構成した請求項２に記載のタイヤ加硫用コンテナー装置。
【請求項４】
前記上モールドの温度コントロール手段として、前記支持プレート上に放射温度計を設けた請求項１，２または３に記載のタイヤ加硫用コンテナー装置。
【請求項５】
前記上モールドの取付け板に、加圧シリンダーと着脱可能なクランプ装置を設けた請求項１，２，３または４に記載のタイヤ加硫用コンテナー装置。
【発明の詳細な説明】
【技術分野】
【０００１】
この発明は、タイヤ加硫用コンテナー装置に係わり、更に詳しくはタイヤ加硫時の上モールドの温度設定と、温度コントロールとを容易にし、タイヤ加硫時間の短縮化を図ることが出来るタイヤ加硫用コンテナー装置に関するものである。
【背景技術】
【０００２】
従来のタイヤ加硫用コンテナー装置１としては、例えば、図５及び図６に示すように、中心部に昇降可能なブラダー中心機構（図示省略）と、加熱手段１３を備えた上部サイドプレート２，下部サイドプレート３にそれぞれ取付けられた上モールド４，下モールド５と、周方向に複数に分割され、かつ中心に向かって拡縮移動するセクターモールド６とを備えている。
【０００３】
またセクターモールド６は、成形タイヤＷのタイヤプロファイル面７を備えた各セクターピース８をそれぞれ着脱可能に取付けるバックセグメント９と、この各バックセグメント９の背面側に形成された所定の傾斜角度αの摺接面１０に摺動可能なガイド手段１１とを備え、このガイド手段１１は、昇降可能な支持プレート１２に吊設されている。
【０００４】
ところで、上記のような上部サイドプレート２に埋設された加熱手段１３としては、電気ヒータが使用され、この加熱手段１３の電気ヒータに接続された電気コード１３ａは、支持プレート１２に設けた貫通穴１４を挿通させて装置外部の電源に接続されている（例えば、特許文献１参照）。
【０００５】
然しながら、タイヤ加硫作業時には、加圧シリンダー１５を介して上モールド４を取付けた上部サイドプレート２は昇降作動し、これと同時に加熱手段１３に接続された電気コード１３ａも昇降するため、電気コード１３ａの断線、接触不良等を起こす危険性があり、配線処理に改善する余地があった。１６は上モールド昇降シリンダーを示している。
【特許文献１】特開２００３−２３１１２６号公報
【発明の開示】
【発明が解決しようとする課題】
【０００６】
この発明はかかる従来の問題点に着目し、加熱手段と加熱対象物となる上部サイドプレートとを分離して構成することで、タイヤ加硫時の上モールドの温度設定と、温度コントロールとを容易にし、タイヤ加硫時間の短縮化を図ることが出来るタイヤ加硫用コンテナー装置を提供することを目的とするものである。
【課題を解決するための手段】
【０００７】
この発明は上記目的を達成するため、ベースプレート上に移動可能に載置された下部サイドプレート上に昇降，かつ着脱可能なブラダー中心機構を設置し、このブラダー中心機構を中心として、その周囲の下部サイドプレート上に下モールドを着脱可能に設置し、この下モールドの周囲に前記ブラダー中心機構に向かって放射方向に拡縮移動する周方向に複数に分割されたセクターモールドを配設し、前記下部サイドプレートと所定の間隔を隔てて水平に配設された上部サイドプレートに昇降可能な支持プレートを配設し、この支持プレートの下面に、加熱手段を備えた昇降可能な上部サイドプレートを介して上モールドを装着し、前記支持プレートの昇降に伴って前記セクターモールドを拡縮移動させるガイド手段を設けたタイヤ加硫装置におけるタイヤ加硫用コンテナー装置であって、前記上モールドの加熱手段として、高周波誘導加熱装置を用いたことを要旨とするものである。
【０００８】
ここで、前記支持プレートと上モールドとの間に、誘導加熱コイルを埋設した熱盤を設け、また前記誘導加熱コイルを埋設した熱盤は、前記支持プレートに固定し、前記上モールドは、加熱手段から分離して構成するものである。
【０００９】
また、前記上モールドの温度コントロール手段として、前記支持プレート上に放射温度計を設け、更に前記上モールドの取付け板に、加圧シリンダーと着脱可能なクランプ装置を設けるものである。
【００１０】
このように、加熱手段と加熱対象物となる上部サイドプレートとを分離して構成すると共に、上モールドの加熱手段として、高周波誘導加熱装置を用いたことにより、タイヤ加硫時の上モールドの温度設定と、温度コントロールとを容易にし、タイヤ加硫時間の短縮化を図ることが出来る。
【発明の効果】
【００１１】
この発明は、上記のようにベースプレート上に移動可能に載置された下部サイドプレート上に昇降，かつ着脱可能なブラダー中心機構を設置し、このブラダー中心機構を中心として、その周囲の下部サイドプレート上に下モールドを着脱可能に設置し、この下モールドの周囲に前記ブラダー中心機構に向かって放射方向に拡縮移動する周方向に複数に分割されたセクターモールドを配設し、前記下部サイドプレートと所定の間隔を隔てて水平に配設された上部サイドプレートに昇降可能な支持プレートを配設し、この支持プレートの下面に、加熱手段を備えた昇降可能な上部サイドプレートを介して上モールドを装着し、前記支持プレートの昇降に伴って前記セクターモールドを拡縮移動させるガイド手段を設けたタイヤ加硫装置におけるタイヤ加硫用コンテナー装置であって、前記上モールドの加熱手段として、高周波誘導加熱装置を用いたので、以下のような優れた効果を奏するものである。
（ａ）加熱手段に接続する電気コードを使用することがなく、従って電気コードの断線、接触不良の問題がない。
（ｂ）加熱手段と加熱対象物となる上部サイドプレートとを分離しているので、構造が簡単になり、タイヤ加硫時の上モールドの温度設定と、温度コントロールとを容易にし、タイヤ加硫時間の短縮化を図ることが出来る。
（ｃ）誘導加熱方式であるため、誘導加熱コイル等の熱源を固定でき、上部サイドプレートが離れて放熱しても短時間で温度の回復ができる。即ち、熱源から上モールドが離れても合致した後、温度回復が早い。
（ｄ）誘導加熱コイル等の熱源を上モールドに固定できるので、上部サイドプレートの動きに追従せずにすみ、構造を簡単にすることが出来る。
（ｅ）上部サイドプレートは、クランプ装置に着脱出来るので、段取り替えを簡単に行うことが出来、作業性を向上させることが出来る。
【発明を実施するための最良の形態】
【００１２】
以下、添付図面に基づき、この発明の実施形態を説明する。
なお、従来例と同一構成要素は、同一符号を付して説明は省略する。
【００１３】
図１は、この発明を実施したタイヤ加硫用コンテナー装置１の上モールド４と下モールド５とが開時の一部縦断正面図、図２は図１の閉時の一部縦断正面図、図３は加熱手段１７の拡大図、図４は図１のＡ−Ａ矢視底面図を示している。
【００１４】
前記加熱手段１７は、支持プレート１２上に設置され、この実施形態の加熱手段１７は高周波誘導加熱装置を使用している。
【００１５】
前記高周波誘導加熱装置の加熱手段１７には、図３及び図４に示すように、配線１８ａ，１８ｂを介して電極１９ａ，１９ｂが取付けられ、この電極１９ａ，１９ｂは、支持プレート１２を貫通して、断熱板２０を介して配設された円盤状の熱盤２１に埋設された誘導加熱コイル２２に接続されている。
【００１６】
前記誘導加熱コイル２２は、熱盤２１の底面に形成された凹部２３に断熱材２４を介して配設され、その表面は複数本の押え板２５により固定されている。また、上モールド４を着脱可能に装着した上部サイドプレート２は、前記支持プレート１２の下面から分離されて配設されると共に、上部サイドプレート２の上面中央は、クランプ装置２６を介して加圧シリンダー１５が着脱可能に連結されている。
【００１７】
前記上モールド４の温度コントロール手段としては、前記支持プレート１２上に放射温度計２７を設け、この放射温度計２７を検出しながら前記高周波誘導加熱装置の加熱手段１７をコントロール制御するように構成されている。
【００１８】
なお、この実施形態では、高周波誘導加熱装置の発振周波数を、４０KHz 〜６０KHz に設定して使用してあるが、この発振周波数に限定されるものではなく、加熱対象物の大きさ、重量、材質によって、任意に設定するものである。なお、加熱対象物に対して、高周波誘導加熱装置の発振周波数が適切でない場合には、加熱ムラが生じ、全体の温度が一定にならないと言う不具合が生じる場合がある。
【００１９】
なお、５は下部サイドプレート３に取付けられた下モールド、６は周方向に複数に分割され、かつ中心に向かって拡縮移動するセクターモールド、８は成形タイヤＷのタイヤプロファイル面７を備えた各セクターピースを示している。また、９はバックセグメントを示し、この各バックセグメント９の背面側に所定の傾斜角度αの摺接面１０を形成し、この摺接面１０に摺動可能なガイド手段１１は、昇降可能な支持プレート１２に吊設されている。
【００２０】
この発明の実施形態では、上記のように高周波誘導加熱装置の加熱手段１７を支持プレート１２上に設置して、上モールド４を着脱可能に装着した上部サイドプレート２と分離させて構成したので、上モールド４を着脱可能に装着した上部サイドプレート２が加硫工程時に昇降作動して加熱手段１７から離れても誘導加熱により任意に温度設定をコントロールすることが出来るものである。
【００２１】
また、加熱手段１７は誘導加熱方式であるため、誘導加熱コイル等の熱源を固定でき、上部サイドプレート２が離れて放熱しても短時間で温度の回復ができ、更に誘導加熱コイル等の熱源を上モールド４に固定できるので、上部サイドプレート２の動きに追従せずにすみ、構造を簡単にすることが出来るものである。
【００２２】
また、上部サイドプレート２はクランプ装置２６に着脱出来るので、段取り替えを簡単に行うことが出来、作業性を向上させることが出来る。
【図面の簡単な説明】
【００２３】
【図１】この発明を実施したタイヤ加硫用コンテナー装置の上モールドと下モールドとが開時の一部縦断正面図である。
【図２】図１の閉時の一部縦断正面図である。
【図３】加熱手段の拡大図である。
【図４】図１のＡ−Ａ矢視底面図である。
【図５】従来のタイヤ加硫用コンテナー装置の一部断面図である。
【図６】従来の加熱手段の拡大断面図である。
【符号の説明】
【００２４】
１  タイヤ加硫用コンテナー装置          ２  上部サイドプレート
３  下部サイドプレート                  ４  上モールド
５  下モールド                          ６  セクターモールド
Ｗ  成形タイヤ                          ７  タイヤプロファイル面
８  セクターピース                      ９  バックセグメント
１０  摺接面                            １１  ガイド手段
１２  支持プレート                      １３  加熱手段
１３ａ  電気コード                      １４  貫通穴                            １５  加圧シリンダー                    １６  上モールド昇降シリンダー
１７  加熱手段
１８ａ，１８ｂ  配線          １９ａ，１９ｂ  電極
２０  断熱板                            ２１  熱盤
２２  誘導加熱コイル                    ２３  凹部
２４  断熱材                            ２５  押え板
２６  クランプ装置                      ２７  放射温度計
【図１】
2005271336.tif 000003
【図２】
2005271336.tif 000004
【図３】
2005271336.tif 000005
【図４】
2005271336.tif 000006
【図５】
2005271336.tif 000007
【図６】
2005271336.tif 000008